(57)【要約】【課題】完成品に至る、ワークである金属製薄板の折り曲げ工数を少なくするワークの折曲成形型を提供すること。【解決手段】第１回転カム１内に第２回転カムを設けると共に、第１回転カムの一端近傍に第２回転カムを回動可能に立設させて成り、第２回転カムは第１回転カムと一体的に回動できるようにしてあり、第１回転カムにより形成されるワークの第１折曲部と、第２回転カムが形成するワークの第２折曲部とが鋭角に連続形成され、第２回転カムが後退回動して第２折曲部との係止が解除された後、第１・第２回転カムが一体となって後退回動する態様で、ワークが第１・第２回転カムから抜き取れるようになっていることを特徴とするワークの折曲成形型。【選択図】図３
2008260063.tif 000002
【特許請求の範囲】
【請求項１】
第１回転カム内に第２回転カムを設けると共に、第１回転カムの一端近傍に第２回転カムを回動可能に立設させて成り、第２回転カムは第１回転カムと一体的に回動できるようにしてあり、第１回転カムにより形成されるワークの第１折曲部と、第２回転カムが形成するワークの第２折曲部とが鋭角に連続形成され、第２回転カムが後退回動して第２折曲部との係止が解除された後、第１・第２回転カムが一体となって後退回動する態様で、ワークが第１・第２回転カムから抜き取れるようになっていることを特徴とするワークの折曲成形型。
【請求項２】
第１折曲部と第２折曲部とが形成する角度は、鋭角であることを特徴とする請求項１記載のワークの折曲成形型。
【請求項３】
第２回転カムの回動軸線は、第１回転カムの回動軸線に対して直交していることを特徴とする請求項１又は２記載のワークの折曲成形型。
【発明の詳細な説明】
【技術分野】
【０００１】
この発明は、金属性薄板を成形するワークの折曲成形型に関するものである。
【背景技術】
【０００２】
自動車におけるサイドパネル、フェンダー、ルーフワーク等は三次元形状となっており、これらは多数の工程を経て完成させてある。このため、これら自動車部品を製造する際には、多くの人件費と時間を要するという問題があった。
【０００３】
したがって、上記サイドパネル、フェンダー等を取り扱う業界では、極力少ない工程で上記部品が製造できるワークの折曲成型が開発されることを待ち望んでいる。
【０００４】
尚、上記の如き、工数の減少化を望むのは自動車業界のみではなく、他の業界においても望まれるものである。
【特許文献１】特開２００５−２８３７０号公報（特に図９〜図１４）
【発明の開示】
【発明が解決しようとする課題】
【０００５】
そこで、この発明は、完成品に至る、ワークである金属製薄板の折り曲げ工数を少なくするワークの折曲成形型を提供することを課題とする。
【課題を解決するための手段】
【０００６】
（請求項１記載の発明）
この発明のワークの折曲成形型は、第１回転カム内に第２回転カムを設けると共に、第１回転カムの一端近傍に第２回転カムを回動可能に立設させて成り、第２回転カムは第１回転カムと一体的に回動できるようにしてあり、第１回転カムにより形成されるワークの第１折曲部と、第２回転カムが形成するワークの第２折曲部とが鋭角に連続形成され、第２回転カムが後退回動して第２折曲部との係止が解除された後、第１・第２回転カムが一体となって後退回動する態様で、ワークが第１・第２回転カムから抜き取れるようになっている。
（請求項２記載の発明）
この発明のワークの折曲成形型は、上記請求項１記載の発明に関し、第１折曲部と第２折曲部とが形成する角度は、鋭角である。
（請求項３記載の発明）
この発明のワークの折曲成形型は、上記請求項１又は２記載の発明に関し、第２回転カムの回動軸線は、第１回転カムの回動軸線に対して直交している。
【発明の効果】
【０００７】
このワークの折曲成形型によると、完成品に至る、ワークである金属製薄板の折り曲げ工数を少なくできる。
【発明を実施するための最良の形態】
【０００８】
この発明を、添付する図１〜図5に示す一実施例に基づいて以下に詳細に説明する。
【実施例１】
【０００９】
この実施例のワークの折曲成形型は、図1〜図5に示すように、第１回転カム３内に第２回転カム４を設けると共に、第1回転カム３の一端近傍に第２回転カム４を回動可能に立設させてなり、前記第２回転カム４は第１回転カム３と一体的に回動できるようにしてあり、第1回転カム３により形成されるワークＷの第1折曲部Ｗ１と、第２回転カム４が形成するワークＷの第２折曲部Ｗ２とが鋭角に連続形成され、第２回転カム４が後退回動して第２折曲部Ｗ２との係止が解除された後、第１・第２回転カム３、４が一体となって後退回動する態様で、ワークＷが第１・第２回転カム３、４から抜き取られるようになっている。
【００１０】
以下に、この実施例による完成品の製造工程について具体的に説明する。
〔第1工程〕
図１において、回動カムプレート６０からのスライドカムの入り込み形成部（図示せず）により、第２回転カム４の当たり面２１aに沿ってワークＷは二点鎖線から実線の状態に折り曲げられ、図４や図５に示す如き第２折曲部Ｗ２を形成する。その後上記スライドカムの入り込み成形部を開口２０aから脱出させる。
〔第2工程〕
回動プレート６０からのスライドカムの入り込み成形部（図示せず）により、図４や図５に示す如き鋭角的な第１折曲部Ｗ１が形成される。その後上記スライドカムの入り込み成形部を後退させる。
〔第３工程〕
図２に示すように、第２回転カム４を図示しない回転手段で回動後退させる。
この状態においては、ワークＷは第２回転カム４を図示しない回転手段で後退させる。
〔第4工程〕
図３に示すように、第１回転カム３を第２回転カム４と共に回動後退させる。この状態においては、ワークＷは第２回転カム４と非係止状態にあるので、ワークＷは折曲成形型から取り外せる。
【００１１】
ここで、通常は第１折曲部Ｗ１及び第２折曲げ部Ｗ２を有するようなワークＷの場合、複数の工数を必要とするが、このワークの折曲成形型によると、完成品に至る、ワークである金属製薄板の折り曲げ工数を少なくできる。
【実施例２】
【００１２】
図６は第1回転カム３とこれに設けられた第２回転カム４を有する装置Ｆの作業後の上面の斜視図、図７はワークＷにおける第１折曲部Ｗ１と第２折曲部Ｗ２の部分斜視図、図８は前記第１、第２回転カムの初期状態における部分断面図、第９図は第1工程を示す部分断面図、図１０は第２工程を示す部分断面図、図１１は第２工程を示す平面図、図１２は第3工程を示す部分の説明図、図１３及び図１４は第4工程を示す説明図、図１５は第5工程を示す説明図を示している。
（折曲成形型Ｆの一部の基本的構成について）
この実施例のワークの折曲成形型は、図６〜図１９に示すように、（１）第１回転カム１内に第２回転カム２を設けると共に、第1回転カム１の一端近傍に第2回転カム２を回動可能に立設させてなる点、（２）前記第２回転カム２は第１回転カム１と一体的に回動できるようにしてあり、第1回転カム１により形成されるワークＷの第1折曲部Ｗ１と、第2回転カム２が形成するワークＷの第２折曲部Ｗ２とが鋭角に連続形成される点、（３）第2回転カム４が後退回動して第２折曲部Ｗ２との係止が解除された後、第１・第２回転カム３、４が一体となって後退回動する態様で、ワークＷが第１・第２回転カム３、４から抜き取られるようになっている点においては、上記実施例１と全く同一である。
【００１３】
なお、この実施例では、第1回転カム１により形成されるワークＷの第1折曲部Ｗ１は（所謂キャットウオーク部分）に、第2回転カム２が形成するワークＷの第２折曲部Ｗ２は（所謂ノーズ先端部分）になる。
（この実施例の折曲成形型Ｆによる第1折曲部Ｗ１と第２折曲部Ｗ２の成形及び脱型について） 
第１回転カム１により形成されるワークＷの第1折曲部Ｗ１（キャットウオーク部分）と、第２回転カム２により形成されるワークＷの第２折曲部Ｗ２（ノーズ先端部分）とが鋭角に連続形成され、図７に示す符号Ａ部分は、以下のようにして脱型される。
（１）作業前の状態
図８は成形作業に入る前の状態を示している。この状態では、第１回転カム３は図６に示したガスシリンダ７０（エアシリンダとすることもできる）により図８に示す位置に回転した状態となっている。
【００１４】
前記状態では、回動軸線Ｌ１を中心として第１回転カム３は反時計方向に傾いており、下型１の上面から回動プレート６０側が４５°程度突出する態様と、ノーズ先端形成型部４０が下型１の凹み部１０内に半分程度没入する態様となっている。
【００１５】
また、上記第２回転カム４よりも奥側には、ロックユニット７２が設けられており、ロックユニット７２が前進位置に達したときには第２回転カム４は回転不能と、ロックユニット７２が後退位置にあるときには第２回転カム４は回転可能となるように構成してある。なお、この第２回転カム４の回動は図１１に示すように、ガスシリンダー４３の押圧力により回転させるようにしてある。
【００１６】
また、第２回転カム４は、図１１に示すように、上面視で凹み部４２を設けてある。
【００１７】
さらに、上記下型１の上方には、図８に示すように、手前側に位置させたスライドカム２０と奥側に位置させた押さえ手段５から成る上型２を設けてある。
【００１８】
前記スライドカム２０は、図８、図９に示すように、下方（回動プレート６０）からの反力があれば手前側から奥側に向かって移動せしめられる。
【００１９】
押さえ手段５は、図８に示すように、軸部５０と、押さえ部５１と、バネ５２とから構成されており、上型２が降下した場合において、バネ５２の作用によりワークＷ部分を押し付けて成形するノーズ先端外型部５３を設けてある。
【００２０】
ガスシリンダ７０は、外力が作用していない状態においては回動プレート６０が図８に示す位置となり、ガス圧の付勢力に抗して上型２が降下したときに回動プレート６０が図９に示す位置となるようにしてある。
（２）第１工程
先ず、上型２の降下に伴う回動プレート６０の押し込みにより、回動軸線Ｌ１を中心として第１回転カム３が反時計方向に回動し、前記回動プレート６０が下型１の上面に接地する。この時点からスライドカム２０が手前側から奥側へと移動し、入り込み成形部（２１参照）が図７に示す如き第１折曲部W1を形成する。
（３）第２工程
第２回転カム４が不用意に回動しないように、ロックユニット７２を手前側の前進位置に移動させる（図８、図９参照）。次に、図９に示すように、ノーズ先端成型部４０に乗せたワークＷの符号Aとなる部分を載せ置いた後、上型２を降下させていく。これに伴って、スライドカム２０が手前側から奥側へ移動し、図１０に示すように、切り込み形成部２１の上部により前記符号A部分の下部が巻き付いた状態となる。つまり、この状態では、ワークＷの符号A部分は奥側から手前側に抜けない状態となっている。
（４）第３工程
図１０、図１１に示したスライドカム２３は、幅が狭い以外は上記したスライドカム２０とほぼ同じ構成であり、凹み部４２への前記スライドカム２３の前進により同図に示した二点鎖線の部分をノーズ先端形成型部４０に押圧して実線の状態に折り曲げる。
（５）第４工程
図１２に示すように、上型２を上昇させる。その上昇により、押さえ部５１は上昇すると同時に入り込み形成部２１が奥側から手前側に移動していく。
（６）第５工程
図１３に示すように、固定プレート７２が手前側から奥側へ移動し、第２回転カム４の回動阻止が解かれ、図１１，図１３に示したガスシリンダ４３により第２回転カム４が上面視で反時計方向に回動せしめられる。この回動動作により、図１４に示すように、ノーズ先端形成型部４０から符号Ａ部分が外れることとなる。
（７）第６工程
上記（６）の状態から、ガスシリンダ７０の働きにより第１回転カム３を、図１５に示す如き（１）作業前の状態に戻す。
この状態では、第２回転カム４が形成するワークＷの第２折曲部Ｗ２は（所謂ノーズ先端部分）は当該第２回転カム４から外れているので、ワークＷの第1折曲部Ｗ１は（所謂キャットウオーク部分）は外れることになり、その結果ワークＷはワークの折曲成形型から簡単に外れる。
【００２１】
したがって、このワークの折曲成型によると、サイドパネル、フェンダー等をが、極力少ない工程で製造できることになる。
（７）まとめ
以上のように、ワークＷの成形及び型からの取り外しは、基本的には以下の順序でなされる。
【００２２】
即ち、第１折曲部Ｗ１の成形→第２折曲部Ｗ２の成形→第２折曲部Ｗ２の取り外し→第１折曲部Ｗ１の取り外しの順序で完成させるものである。
【図面の簡単な説明】
【００２３】
【図１】この発明のワークの折曲成形型を使用した場合における最初の工程を示す断面図。
【図２】前記折曲成形型を使用した場合における二番目の工程の状態を示す断面図。
【図３】前記折曲成形型を使用した場合における最後の工程の状態を示す断面図。
【図４】形成されたワークの上面側斜視図。
【図５】形成されたワークの下面側斜視図。
【図６】第1回転カムとこれに設けられた第２回転カムを有する装置の作業後の上面斜視図。
【図７】ワークにおける第１折曲部と第２折曲部の部分斜視図。
【図８】前記第１、第２回転カムの初期状態における部分断面図。
【図９】第1工程を示す部分断面図。
【図１０】第２工程を示す部分断面図。
【図１１】第２工程を示す平面図。
【図１２】第３工程を示す部分断面図。
【図１３】第４工程を示す部分断面図。
【図１４】第４工程を示す平面図。
【図１５】第５工程を示す部分断面図。
【符号の説明】
【００２４】
Ｗ                ワーク
Ｗ１              第1折曲部
Ｗ２              第２折曲部
Ｌ１              回動軸線
Ｌ２              回動軸線
１                下型
１１              凹み部
２                上型
２０              スライドカム
２１              入り込み形成部
２３              スライドカム
３                第１回転カム
４                第２回転カム
４０              ノーズ先端形成型部
４２              凹み部
４３              ガスシリンダ
５                押さえ手段
５０              軸
５１              押さえ部
５２              バネ
５３              ノーズ先端外型部
６０              回動プレート  
６３              回動プレート
７０              ガスシリンダ
７２              ロックユニット  
【図１】
2008260063.tif 000003
【図２】
2008260063.tif 000004
【図３】
2008260063.tif 000005
【図４】
2008260063.tif 000006
【図５】
2008260063.tif 000007
【図６】
2008260063.tif 000008
【図７】
2008260063.tif 000009
【図８】
2008260063.tif 000010
【図９】
2008260063.tif 000011
【図１０】
2008260063.tif 000012
【図１１】
2008260063.tif 000013
【図１２】
2008260063.tif 000014
【図１３】
2008260063.tif 000015
【図１４】
2008260063.tif 000016
【図１５】
2008260063.tif 000017